(57)【要約】    【目的】天板上での作業中に作業者の足の感触で妻側端部であることを確認させるようにして、作業上の安全を確保できる作業台を提供すること。    【解決手段】  上面に作業床面２を有する天板１と、この天板１の妻側端に設けられた支持脚３とからなる作業台において、天板１の作業床面２にはその妻側端部に、作業者の足の感触で妻側端部であることを認識させるための略山形状の凸条部材４が取り付けられ、凸条部材４は、ナット１２を回転不能で長手方向スライド自在に嵌合させる断面略Ｔ字状のナット嵌合溝１１が下面側に開口するように形成されたもので、天板１を貫通するボルト挿通孔に天板下面側より挿通した取付用ボルト１３を、ナット嵌合溝１１に嵌合されたナット１２に螺合して締め付けることによって取り付けられるようになっている。【選択図】図１
2008106607.tif 000002
【特許請求の範囲】
【請求項１】
上面に作業床面を有する天板と、この天板の妻側端に設けられた支持脚とからなる作業台において、天板の作業床面にはその妻側端部に、作業者の足の感触で妻側端部であることを認識させるための凸条部材が取り付けられ、この凸条部材は、凸条本体が横断面山形に形成されると共に、ナットを回転不能で長手方向スライド自在に嵌合させる断面略Ｔ字状のナット嵌合溝が下面側に開口するように形成されたもので、天板を貫通するボルト挿通孔に天板下面側より挿通した取付用ボルトを、ナット嵌合溝に嵌合されたナットに螺合して締め付けることによって取り付けられるようになっている作業台。
【請求項２】
前記ボルト挿通孔は、バーリング加工によって孔の開口周縁部が作業床面から突出するように天板の略全域に亘って整列状態に設けらた多数の滑り止め用孔のうちの必要な孔からなる請求項１に記載の作業台。
【請求項３】
前記ボルト挿通孔は、天板の所定位置に穿設された専用のボルト挿通孔からなる請求項１に記載の作業台。
【請求項４】
前記凸条部材の外表面には滑り止めが施されている請求項１〜３の何れかに記載の作業台。
【発明の詳細な説明】
【技術分野】
【０００１】
本発明は、上面に作業床面を有する天板と、この天板の妻側端に設けられた支持脚とからなる作業台に関するものである。
【背景技術】
【０００２】
作業者が天板の上に乗って各種作業を行う場合、作業者は、天板から足を踏み外さないよう足元の位置を確認しながら作業をしなくてはいけないと思いつつも実際の作業では天板位置、特に妻側端部の確認が難しく、その妻側端部からの足の踏み外し現象が発生し易い状況にある。
【発明の開示】
【発明が解決しようとする課題】
【０００３】
本発明は、上記の課題に鑑み、天板上での作業中に作業者の足の感触で妻側端部であることを確認させるようにし、もって作業上の安全を確保できる作業台を提供することを目的とする。
【課題を解決するための手段】
【０００４】
請求項１に係る発明は、上面に作業床面２を有する天板１と、この天板１の妻側端に設けられた支持脚３とからなる作業台において、天板１の作業床面２にはその妻側端部に、作業者の足の感触で妻側端部であることを認識させるための凸条部材４が取り付けられ、この凸条部材４は、凸条本体１０が横断面山形に形成されると共に、ナット１２を回転不能で長手方向スライド自在に嵌合させる断面略Ｔ字状のナット嵌合溝１１が下面側に開口するように形成されたもので、天板１を貫通するボルト挿通孔に天板下面側より挿通した取付用ボルト１３を、ナット嵌合溝１１に嵌合されたナット１２に螺合して締め付けることによって取り付けられるようになっていることを特徴とする。
【０００５】
請求項２は、請求項１に記載の作業台において、前記ボルト挿通孔は、バーリング加工によって孔の開口周縁部９ａが作業床面２から突出するように天板１の略全域に亘って整列状態に設けらた多数の滑り止め用孔９のうちの必要な孔からなることを特徴とする。
【０００６】
請求項３は、請求項１に記載の作業台において、前記ボルト挿通孔は、天板１の所定位置に穿設された専用のボルト挿通孔１９からなることを特徴とする。
【０００７】
請求項４は、請求項１〜３の何れかに記載の作業台において、前記凸条部材４の外表面には滑り止め１４が施されていることを特徴とする。
【発明の効果】
【０００８】
請求項１に係る発明によれば、天板上での作業中に作業者の足裏が凸条部材に当たると、その足裏の感触によって、作業床面における足の位置が妻側端部であることを作業者自身が認識できるから、その妻側端部から足を踏み外すことがなくなり、作業の安全を確保することができる。
【０００９】
そして、凸条部材は、ナットを回転不能で長手方向スライド自在に嵌合させる断面略Ｔ字状のナット嵌合溝が下面側に開口するように形成されてなるもので、天板を貫通するボルト挿通孔に天板下面側より挿通した取付用ボルトを、ナット嵌合溝に嵌合されたナットに螺合して締め付けることによって取り付けられるから、凸条部材の取付け及び取外しを簡単容易に行うことができる。
【００１０】
また、凸条部材は凸条本体が横断面山形に形成されているから、作業者の足が凸条部材４に当たった時に足指を痛めるようなことがない。
【００１１】
請求項２によれば、ボルト挿通孔は、バーリング加工によって孔の開口周縁部が作業床面から突出するように天板の略全域に亘って整列状態に設けらた多数の滑り止め用孔のうちの必要な孔からなるため、天板本体に特別にボルト挿通孔を明ける必要がなく、従って凸条部材の取付け作業が簡単となる。
【００１２】
請求項２に記載のような多数の滑り止め用孔が天板に設けられていない場合には、請求項３に記載のように天板の所定位置に専用のボルト挿通孔を設ければよい。
【００１３】
請求項４によれば、凸条部材の外表面に滑り止めを施すことによって、作業者の足が凸条部材の上に乗っても滑り難く、安全である。
【発明を実施するための最良の形態】
【００１４】
図１の(a) は本発明に係る作業台の平面図、(b) は正面図、(c) は右側面図である。図２の(a) は図１に示す作業台を拡大した平面図、(b) は正面図、(c) は左側面図、(d) 右側面図である。図３は図２の(a) のＡ−Ａ線拡大断面図、(b) は(a) から凸条部材、ボルト及びナットを外してボルト挿通孔のみを示す断面図であり、(c) は(b) の平面図である。この作業台は、図１に示すように、上面に横長矩形状の作業床面２を有する天板１と、この天板１の妻側端に設けられた支持脚３，３とから構成され、そして天板１の作業床面２にはその妻側端部に、作業者の足の感触で妻側端部であることを認識させるための凸条部材４が取り付けられている。
【００１５】
両支持脚３，３は、夫々の上端部が天板１の左右端である妻側端に回転連結金具５，５により連結されて、図１の(b) に示すように下広がり状態に傾斜して起立した開脚姿勢と、図示は省略するが、天板１の下面に略平行に沿うように折り畳んだ閉脚姿勢との間で開閉可能となっている。各支持脚３は、(c) に示すように下広がり状に配置される両側一対の脚柱６，６と、両脚柱６，６間に複数段に取り付けられる踏桟７とからなる。なお、各脚柱６は、図１の(a) 〜(c) に示すように、下端に脚端具６ａを取り付けた伸縮脚６ｂによって伸縮可能に構成されている。
【００１６】
また図１の(a) 〜(c) に示すように、天板１下面の妻側端部寄り位置と各支持脚３の最上段の踏桟７との間には、折り畳み可能な開き止め金具８が介装されている。
【００１７】
天板１は、図２の(a) 〜(d) に示すようにアルミニウム合金の押し出し型材により形成される天板本体１ａからなるもので、この天板本体１ａの上面が作業床面２とされる。この天板本体１ａには、(a) から分かるように、天板本体１ａの全域に亘って多数の滑り止め用孔９が縦方向、横方向及び斜め方向に整列状態で配設されている。各滑り止め用孔９は、バーリング加工によって形成されたもので、図３の(b) 及び(c) に示すように開口周縁部９ａが作業床面２から突出することによって滑り止め機能を発揮させるようにしたものである。
【００１８】
天板本体１ａの上面となる作業床面２の妻側端部に取り付けられる凸条部材４は、図３から分かるように、アルミニウム合金の押し出し型材からなるもので、上板部１０ａの両側端から両側対称状に斜め下方へ斜板部１０ｂ，１０ｂを延設してなる横断面山形の凸条本体１０の上板部１０ａ下方に、ナット１２を回転不能で長手方向スライド自在に嵌合させる断面略Ｔ字状のナット嵌合溝１１が下面側に開口するように形成されている。図３において、１３はナット１２に螺合する取付用ボルトである。尚、この凸条部材４を天板本体１ａの作業床面２に取り付けた時の作業床面２からの凸条本体１０の突出高さは１３ｍｍ程度である。
【００１９】
尚、この実施形態では、凸条部材４をアルミニウム押し出し型材によって形成しているが、この凸条部材４は、アルミニウム以外の金属材によって形成してもよいし、また金属材に限らず、合成樹脂材によって形成することができるものである。
【００２０】
そして、凸条部材４には凸条本体１０の外表面に、即ち上板部１０ａの上面側及び各斜板部１０ｂの上面側に夫々凹凸状の滑り止め１４が施されている。尚、滑り止め１４として、この実施形態では凸条本体１０の外表面に凹凸状部を一体形成しているが、階段のステップに取り付けて使用されるような滑り止めシートを凸条本体１０の外表面に貼着したものでもよい。
【００２１】
上記構造の凸条部材４を天板本体１ａの作業床面２に取り付けるには、凸条本体１０のナット嵌合溝１１内に凸条本体１０の端面側より複数個、例えば２個のナット１２を嵌合させて、この凸条部材４を図２に示すように作業床面２の妻側端部所要位置に配置する。この時、凸条部材４の略々真下側に滑り止め用孔９が位置するように凸条部材４を作業床面２上に配置すると共に、その滑り止め用孔９の略々真上にナット嵌合溝１１内のナット１２が位置するようにセットする。そして、天板１の下面側より所要の滑り止め用孔９に取付用ボルト１３を挿入し、このボルト１３をナット嵌合溝１１内のナット１２に螺合し、締め付けることによって図２に示すように凸条部材４を作業床面２の妻側端部所要位置に固定する。この際、ナット１２は、ナット嵌合溝１１内で長手方向スライド可能であるから、天板本体１ａの滑り止め用孔９の位置に対し容易に移動調整することができる。
【００２２】
このように、作業床面２の妻側端部に凸条部材４を取り付けた天板１を有する作業台によれば、天板１上での作業中に作業者の足裏が凸条部材４に当たると、その足裏の感触によって、作業床面２における足の位置が妻側端部であることを作業者自身が認識できるから、その妻側端部から足を踏み外すことがなくなり、作業の安全を確保することができる。また、凸条部材４の取付け及び取外しを簡単容易に行うことができる。
【００２３】
この場合、凸条部材４の凸条本体１０が山形に形成されているから、作業者の足が凸条部材４に当たった時に足指を痛めるようなことがなく、また凸条本体１０の外表面には滑り止め１４が施されているため、作業者の足が凸条部材４の上に乗っても滑り難く、安全である。
【００２４】
また、天板本体１ａにはその全域に亘って多数の滑り止め用孔９が縦方向、横方向及び斜め方向に整列状態で配設されており、しかして凸条部材４を作業床面２の妻側端部に取り付ける際に所要の滑り止め用孔９をボルト挿通孔として使用することによって、天板本体１ａに特別にボルト挿通孔を明ける必要がなく、従って凸条部材４の取付け作業が簡単となる。
【００２５】
図４の(a) は他の実施形態による作業台の平面図、(b) は正面図、(c) は左側面図、(d) 右側面図であり、図５は図４の(a) のＢ−Ｂ線拡大断面図、(b) は(a) から凸条部材、ボルト及びナットを外してボルト挿通孔のみを示す断面図であり、(c) は(b) の平面図である。ここに示す実施形態では、天板１に図１〜図３に示す実施形態のような滑り止め用孔９が設けられていないため、この天板１の所定位置に凸条部材取付けのための専用ボルト挿通孔１９を設けたものである。凸条部材４の構成及び天板１への取付方法については図１〜図３に示す実施形態の場合と全く同じであるため、その説明を省略する。
【図面の簡単な説明】
【００２６】
【図１】(a) は本発明に係る作業台の平面図、(b) は正面図、(c) は右側面図である。
【図２】(a) は図１に示す作業台を拡大した平面図、(b) は正面図、(c) は左側面図、(d) 右側面図である。
【図３】図２の(a) のＡ−Ａ線拡大断面図、(b) は(a) から凸条部材、ボ  ルト及びナットを外してボルト挿通孔のみを示す断面図であり、(c) は(b) の平面図である。
【図４】(a) は他の実施形態による作業台の平面図、(b) は正面図、(c) は左側面図、(d) 右側面図である。
【図５】図４の(a) のＢ−Ｂ線拡大断面図、(b) は(a) から凸条部材、ボルト及びナットを外してボルト挿通孔のみを示す断面図であり、(c) は(b) の平面図である。
【符号の説明】
【００２７】
１              天板
１ａ            天板本体
２              作業床面
３              支持脚
４              凸条部材
９              滑り止め用孔（ボルト挿通孔）
９ａ            滑り止め用孔の開口周縁部
１０            凸条本体
１１            ナット嵌合溝
１２            ナット
１３            取付用ボルト
１４            専用のボルト挿通孔
【図１】
2008106607.tif 000003
【図２】
2008106607.tif 000004
【図３】
2008106607.tif 000005
【図４】
2008106607.tif 000006
【図５】
2008106607.tif 000007